(57)【特許請求の範囲】
【請求項１】
接地面を有するアウトソール１と、
前記アウトソール１の上方に配置されたミッドソール２と、
前記アウトソール１のヤング率およびミッドソール２のヤング率よりも大きいヤング率を有し、前記アウトソール１と前記ミッドソール２との間に配置された樹脂の強化プレート３とを備えた屋内競技用の靴において、
前記強化プレート３は、母趾Ｂ１の基節骨Ｂ１３骨頭および小趾Ｂ５の基節骨Ｂ５３骨頭よりも後方Ｂから足の先端よりも前方Ｆに延びると共に前記強化プレート３の前部３ｆにおいて内側Ｍｅから外側Ｌａに向かって連なって延びる基板部３ａと、前記基板部３ａの前記前部３ｆから前記ミッドソール２の前端部２ｅの上面２ａよりも上方Ｚに巻き上がり前記母趾Ｂ１の前方Ｆを覆う巻上部３ｂとが一体に連なって形成され、かつ、前記母趾Ｂ１および前記小趾Ｂ５を含む足趾を真上から覆わず、
前記巻上部３ｂの前面３ｓの少なくとも一部が、前記強化プレート３よりも床面との摩擦力が大きく、前記アウトソール１の一部を構成する防滑部材１ｂで覆われていることを特徴とする。
【請求項２】
請求項１の靴において、前記巻上部３ｂが前記ミッドソール２の前端部２ｅにおいて前記ミッドソール２の前記上面２ａよりも０．３ｃｍ〜３．０ｃｍ上方に突出している。
【請求項３】
請求項１の靴において、前記母趾Ｂ１の末節骨Ｂ１１の前方Ｆを覆う前記巻上部３ｂの上端の位置が前記母趾Ｂ１の末節骨Ｂ１１の骨底の上面よりも下方に設定されている。
【請求項４】
請求項１，２もしくは３の靴において、前記基板部３ａが母趾Ｂ１および小趾Ｂ５の中足趾節間関節ＭＰよりも後方Ｂまで連続して延びている。
【請求項５】
請求項４において、前記強化プレート３は前記基板部３ａの内側Ｍｅと外側Ｌａとを連結する連結バー３ｃを更に一体に備え、前記連結バー３ｃの内側端３ｍが外側端３ｌよりも後方Ｂに配置され、前記連結バー３ｃが外側Ｌａに向かって延びるに従い前方Ｆに延びる。
【請求項６】
請求項１〜５のいずれか１項の靴において、前記基板部３ａが足の内側Ｍｅおよび外側Ｌａにおいてリスフラン関節Ｒよりも後方Ｂまで延びている。
【請求項７】
請求項１〜６のいずれか１項の靴において、前記防滑部材１ｂが前記巻上部３ｂの下端から上端までを覆う。
【請求項８】
請求項１〜７のいずれか１項の靴において、前記基板部３ａは、
前記前部３ｆから前記ミッドソール２の外縁２ｌを覆うように後方Ｂに向かって延びる外縁部３０と、前記外縁部３０から上方Ｚに巻き上る外巻上部３０ｂと、前記ミッドソール２の内縁２ｍから離間し、かつ、前記前部３ｆから前記内縁２ｍに沿って母趾球ＢＯよりも後方Ｂに延び前記母趾Ｂ１の少なくとも一部を覆う内側部３１とを更に備える。
【発明の詳細な説明】
【技術分野】
【０００１】
本発明は例えばバレーボールのような屋内競技に適した靴に関する。
【背景技術】
【０００２】
バレーボールにおけるジャンプの大半は両足によるジャンプである。現在のバレーボール用シューズでは、中足部から第１中足の骨頭まで強化プレートを延長し、中足趾節間関節（ＭＰ関節）の過度な伸展（背屈）を抑制することにより、ジャンプにおける右足（右利き選手）の水平方向への蹴り出し力を効果的に床面に伝える構造を持つものが販売されている。【０００３】
この先行例はジャンプスピードを増大させるだろう。また、その構造はジャンプにおいては右利き選手で右足のみ効果を発揮するだろう。【０００４】
しかし、前記先行例はジャンプの高さに寄与の高い左足（右利き選手）に着目したものではなく、ジャンプの高さを今一つ増大させることができない。
【先行技術文献】
【特許文献】
【０００５】
【特許文献１】ＵＳ４，４１２，３９３  Ｂ（フロントページ）
【特許文献２】ＵＳ４，４５３，９９６  Ｂ（フロントページ）
【特許文献３】ＵＳ２０１０／０００５６８４  Ａ１（フロントページ）
【特許文献４】ＵＳ２０１０／０３０７０２７  Ａ１ (フロントページ)
【特許文献５】ＪＰ５７−１８６５０９  Ｙ（図２）
【特許文献６】ＪＰ２００２−３６０３０５  Ａ（要約）
【発明の概要】
【０００６】
本発明の目的は屋内競技において、両足でジャンプする際のジャンプの高さを増大させることのできる靴を提供することである。
【０００７】
本発明は接地面を有するアウトソールと、
前記アウトソールの上方に配置されたミッドソールと、
前記アウトソールのヤング率およびミッドソールのヤング率よりも大きいヤング率を有し、前記アウトソールと前記ミッドソールとの間に配置された樹脂の強化プレートとを備えた屋内競技用の靴において、
前記強化プレートは、母趾および小趾の基節骨骨頭から足の先端よりも前方に延びると共に前記強化プレートの前部において内外に連なる基板部と、前記基板部の前記前部から前記ミッドソールの前端部の上面よりも上方に巻き上がり前記母趾の前方を覆う巻上部とが一体に連なって形成され、かつ、前記母趾および前記小趾を含む足趾を真上から覆わず、
前記巻上部の前面の少なくとも一部が、前記強化プレートよりも床面との摩擦力が大きい防滑部材で覆われていることを特徴とする。
【０００８】
バレーボールのような屋内競技において、ジャンプの高さを大きくするには、床からソールに受ける反力がピークとなった時点から後の力積を大きくするのが望ましい。
【０００９】
本発明の強化プレートは母趾および小趾の基節骨骨頭から足の先端よりも前方に延びていると共に、前記巻上部において基板部の前部からミッドソールの前端部の上面よりも上方に巻き上がっている。そのため、ジャンプの際に爪先が床面から離れる直前に、母趾のＭＰ関節および趾節間関節の伸展（背屈）を抑え、母趾の屈曲（底屈）する力を前記強化プレートを介して最後まで床面に伝えることができるため、大きな力積を得ることができるだろう。したがって、ジャンプの高さを増大させることができるだろう。また、ジャンプ動作中に屈曲した前記強化プレートが復元することにより力積が増加し、ジャンプの高さを増大させることができるだろう。
【００１０】
一方、バレーボールのような屋内競技においては、爪先の先端が床面に接した状態で、ボールをレシーブすることがある。このような場合、前記強化プレートの前面が完全に露出していると、強化プレートと床面との間に滑りが生じ易く、所期のプレー（動作）を実現できない。
【００１１】
本発明の強化プレートの巻上部の前面の一部又は全部は防滑部材で覆われている。そのため、前記滑りを抑制し、所期のプレー（動作）を実現できるだろう。
【図面の簡単な説明】
【００１２】
【図１】図１は本発明の実施例１にかかるソールを示す概略斜視図である。
【図２】図２は同ソールのうちのミッドソールと強化プレートとを示す底面側から見た斜視図である。
【図３】図３は同ソールの分解斜視図である。
【図４】図４は強化プレートの斜視図である。
【図５】図５は強化プレートと足の骨格との関係を示す平面図である。
【図６】図６はミッドソールおよびアウトソールを一部断面して示す強化プレートの内側面図である。
【図７】図７Ａはジャンプ時の床面からの垂直反力とジャンプ効率との関係を示す特性図、図７Ｂはジャンプ効率とジャンプ高さとの関係を示す特性図である。
【図８】図８は実施例２にかかるソールを示す概略斜視図である。
【図９】図９Ａ、図９Ｂおよび図９Ｃは、それぞれ、他の実施例にかかる強化プレートを示す平面図である。
【発明を実施するための形態】
【００１３】
好ましくは、前記巻上部が前記ミッドソールの前端部において前記ミッドソールの前記上面よりも０．３ｃｍ〜３．０ｃｍ上方に突出している。
【００１４】
巻上部の突出高さが０．３ｃｍ未満の場合には前記効果が不十分になり、一方、突出高さが３．０ｃｍを超える場合には、靴の爪先の剛性が大きくなりすぎるだろう。
このような理由から、前記突出高さは、より好ましくは０．４ｃｍ〜２．０ｃｍ、最も好ましくは０．４ｃｍ〜１．５ｃｍに設定される。
【００１５】
好ましくは、前記母趾の末節骨の前方を覆う前記巻上部の上端の位置が前記母趾の末節骨の骨底の上面よりも下方に設定されている。
【００１６】
この場合、爪先の剛性が大きくなりすぎるのを防止し得る。なお、前記末節骨を覆う前記巻上部には開孔（貫通孔）や切欠きがあってもよい。
【００１７】
好ましくは、前記基板部が母趾および小趾の中足趾節間関節（ＭＰ関節）よりも後方まで連続して延びている。
【００１８】
この場合、ＭＰ関節の過度の伸展を抑制し得ると共に、ＭＰ関節において屈曲した強化プレートの復元による力積の増加が期待できる。
【００１９】
更に好ましくは、前記強化プレートは前記基板部の内側と外側とを連結する連結バーを更に一体に備え、前記連結バーの内側端が外側端よりも後方に配置され、前記連結バーが外側に向かって延びるに従い前方に延びる。
【００２０】
この場合、前記連結バーは足のＭＰ関節の配列と交差する方向に延びている。したがって、前記ＭＰ関節の過度の伸展を更に抑制し得る。
【００２１】
好ましくは、前記基板部が足の内側および外側においてリスフラン関節よりも後方まで延びている。
【００２２】
この場合、前記ＭＰ関節における足の伸展が更に抑制され、ジャンプ高さの増大が期待できる。
【００２３】
好ましくは、前記防滑部材が前記巻上部の下端から上端までを覆う。この場合、樹脂の巻上部が床面に接触するおそれがなく、前記滑りを確実に抑制し得る。
但し、防滑部材は巻上部の全面を覆う必要はなく、防滑部材に開孔（貫通孔）を設けて強化プレートが前方から少し見えるようにしてもよい。
【００２４】
好ましくは、前記基板部は、前記前部から前記ミッドソールの外縁を覆うように後方に向かって延びる外縁部と、前記外縁部から上方に巻き上る外巻上部と、前記ミッドソールの内縁から離間し、かつ、前記前部から前記内縁に沿って母趾球よりも後方に延び前記母趾の少なくとも一部を覆う内側部とを更に備える。
【００２５】
この場合、母趾に沿って延びる基板部の内側部は、ジャンプの際に伸展した母趾のＭＰ関節が屈曲するのを助け、そのため、ジャンプ高さを増大させる。
一方、ミッドソールの外縁に沿って延びる外縁部と外巻上部は小趾側の屈曲を助けるだけでなく、着地やレシーブなどの際に足が外側に振れ（ブレ）るのを抑制する。
【００２６】
本発明は、添付の書類を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【実施例】
【００２７】
以下、本発明の実施例が図面にしたがって説明される。
図１〜図６は実施例１を示す。なお、各図において靴のアッパーは図示されていない。【００２８】
本実施例は例えばバレーボール用の靴である。
図１に示すソールはアウトソール１、ミッドソール２および強化プレート３が接着ないし溶着により互いに一体に積層されている。【００２９】
図６に示すアウトソール１はゴムの発泡体または非発泡体で形成され、前記ミッドソール２および強化プレート３よりも床面との摩擦力が大きい。前記アウトソール１は床面に接地する接地面１ｓと、後述する防滑部材１ｂを形成する前端の巻上部とを有する。【００３０】
前記ミッドソール２はアウトソール１の上方Ｚに配置され、足裏の全域を覆う。前記ミッドソール２は例えばＥＶＡのような熱可塑性の樹脂成分を有する発泡体で主に形成され、着地の衝撃を緩衝する。なお、図１に示すように、ミッドソール２の一部がゴム様の弾性を有する緩衝材２９などを有していてもよい。【００３１】
前記ミッドソール２の上には、図示しないインソール（中底）が接着される。また、前記インソールの更に上にはソックライナー（中敷き）が図示しないアッパー内に装着される。なお、アッパーとは足の甲を覆って包むものである。【００３２】
図３および図６において、前記強化プレート３は熱可塑性の樹脂成分を有する非発泡体で形成され、前記アウトソール１のヤング率およびミッドソール２のヤング率よりも大きいヤング率を有する。
なお、前記強化プレート３の好ましいヤング率の値は２０〜５００Ｍｐａで、より好ましくは４０〜２００Ｍｐａである。【００３３】
前記強化プレート３は前記アウトソール１と前記ミッドソール２との間に配置されている。本実施例の場合、強化プレート３はアウトソール１の上面１ａとミッドソール２の下面２ｂとの間で挟まれている。なお、ミッドソール２が上下に２層で積層されている場合、上下のミッドソール２の間に前記強化プレート３が配置されていてもよく、したがって、強化プレート３はアウトソール１とミッドソール２との間に配置されていればよい。【００３４】
図５において、Ｂ１は母趾、Ｂ２は第２趾、Ｂ５は小趾を示す。Ｂ１１，Ｂ２１およびＢ５１は各々それらの末節骨を示し、Ｂ１３，Ｂ２３およびＢ５３は各々それらの基節骨を示し、Ｂ１４，Ｂ２４およびＢ５４はそれらの中足骨を示す。【００３５】
前記強化プレート３は、基板部３ａ、前方巻上部３ｂ、連結バー３ｃ、外縁部３０、内側部３１およびシャンク部３２がループ状に一体に形成されている。この強化プレート３は母趾Ｂ１および小趾Ｂ５を含む足趾を真上から覆っていない。【００３６】
前記基板部３ａは、母趾Ｂ１および小趾Ｂ５の基節骨Ｂ１３，Ｂ５３の骨頭よりも後方Ｂから足の先端よりも前方Ｆに延びる。前記強化プレート３の前部３ｆは湾曲しており、内側Ｍｅから外側Ｌａに向かって連なって延びる。
なお、骨頭とは各骨における前方の関節に近い部位で若干太く膨らんだ部位をいい、遠位骨頭とも呼ばれている。一方、骨底とは各骨における後方の関節に近い部位で若干太く膨らんだ部位をいい、近位骨頭とも呼ばれている。【００３７】
図６に示すように、前記前方巻上部３ｂは前記基板部３ａの前記前部３ｆに一体に連なり、前記ミッドソール２の前端よりも前方Ｆまで延びると共に前記前部３ｆから前記ミッドソール２の前端部２ｅの上面２ａよりも上方Ｚに突出する。更に、前記前方巻上部３ｂは、上方Ｚに巻き上がり、図１に示すように、前記母趾Ｂ１の前方Ｆを覆う。すなわち、前方巻上部３ｂはミッドソール２の前端よりも斜め上方の前方に向かってミッドソール２に沿って延び、三日月状ないし半月状に前記ミッドソール２の前端の上面２ａから突出する。
なお、前記前方巻上部３ｂにおけるミッドソール２から上方Ｚに突出している部分には網点が施されている。【００３８】
本実施例の場合、図１および図６に示すように、前記前方巻上部３ｂは、アウトソール１を構成する前記防滑部材１ｂにより前記前方巻上部３ｂの下端から上端までが覆われている。なお、前記前方巻上部３ｂおよび防滑部材１ｂは図示しないアッパーの爪先部分を覆う。【００３９】
しかし、本発明においては、図２の前記前方巻上部３ｂの前面３ｓの少なくとも一部が、前記強化プレート３よりも床面との摩擦力が大きい図１の防滑部材１ｂで覆われていればよい。たとえば防滑部材１ｂはアウトソール１とは別体であってもよい。また、防滑部材１ｂに小さな貫通孔や切り欠きが設けられて、前方から前記前方巻上部３ｂの一部が視認できるようにしてもよい。【００４０】
図６に示すように、前記前方巻上部３ｂは前記ミッドソール２の前端部２ｅにおいて前記ミッドソール２の前記上面２ａよりも０．３ｃｍ〜３．０ｃｍ上方に突出しているのが好ましい。突出量ΔＨは０．４ｃｍ〜２．０ｃｍであることがより好ましい。【００４１】
前記母趾Ｂ１の末節骨Ｂ１１を覆う前記前方巻上部３ｂの上端の位置は前記母趾Ｂ１の末節骨Ｂ１１の骨底の上面Ｆ１１よりも下方に設定されているのが好ましい。【００４２】
図５に示すように、本実施例の場合、前記基板部３ａは母趾Ｂ１および小趾Ｂ５の中足趾節間関節ＭＰよりも後方Ｂまで連続して延びている。更に、前記基板部３ａが足の内側Ｍｅおよび外側Ｌａにおいてリスフラン関節Ｒよりも後方Ｂまで延びている。【００４３】
前記基板部３ａは外縁部３０、外巻上部３０ｂ、内側部３１およびシャンク部３２を一体に備える。【００４４】
図２の前記外縁部３０は前記前部３ｆから前記ミッドソール２の外縁２ｌを覆うように後方Ｂに向かって延びる。前記外巻上部３０ｂは前記外縁部３０から上方Ｚに巻き上る。前記内側部３１は前記ミッドソール２の内縁２ｍから離間し、かつ、前記前部３ｆから前記内縁２ｍに沿って図５の母趾球ＢＯよりも後方Ｂに延び前記母趾Ｂ１の少なくとも一部を覆う。【００４５】
こうして、前記強化プレート３の基板部３ａは、前部３ｆ、前方巻上部３ｂから外縁部３０および内側部３１を介してシャンク部３２まで連なったループ状に形成されている。なお、シャンク部３２は、周知のように、アーチを強化する。【００４６】
前記強化プレート３は前記基板部３ａの内側Ｍｅと外側Ｌａとを連結する連結バー３ｃを更に一体に備える。前記連結バー３ｃの内側端３ｍは外側端３ｌよりも後方Ｂに配置されている。したがって、前記連結バー３ｃは外側Ｌａに向かって延びるに従い前方Ｆに延びる。【００４７】
ループ状の強化プレート３には、前記連結バー３ｃにより２つの貫通孔Ｈ１、Ｈ２が形成される。
前記連結バー３ｃは第２趾Ｂ２から小趾Ｂ５のＭＰ関節ＭＰが大きく伸展しすぎるのを抑制するだろう。【００４８】
つぎに、バレーボールのスパイク時等のジャンプのメカニズムについて説明する。【００４９】
たとえば、右利きの選手の場合、両足が接地した状態から、両膝の屈曲後、膝の屈伸に伴い、ＭＰ関節が伸展し、まず、右足が宙に浮き、続いて左足が宙に浮き上がる。【００５０】
図７Ａは床反力Ｆｚとジャンプ効率ΣＦｚ（Ｊｕｍｐ  Ｅｆｆｉｃｉｅｎｃｙ）との関係のテスト結果を示し、図７Ｂは前記ジャンプ効率ΣＦｚとジャンプ高さとの関係のテスト結果を示す。【００５１】
図７Ａの網点を施した前記ジャンプ効率ΣＦｚ、つまり、床反力Ｆｚが最大となった後、足が完全に床から離れるまでの力積ΣＦｚは、図７Ｂに示すように、ジャンプ高さと強い相関関係があると推測される。【００５２】
ここで、足が離地する瞬間には、通常ＭＰ関節が伸展したまま、その前方の爪先で床面を蹴る。この離地する間際に、爪先に力が入り易く、床面を蹴り易くすれば、前記力積ΣＦｚは、網点で示す主領域α１に、斜線で示す付加領域α２を加えたような大きさとなる。したがって、ジャンプ高さが大きくなるだろう。【００５３】
更に前記離地の間際に、伸展していたＭＰ関節が屈曲すれば、前記付加領域α２が更に大きくなり、更に、ジャンプ高さが大きくなるだろう。【００５４】
図８は実施例２を示す。
この例においては、前方巻上部３ｂの上部がアウトソール１の巻上部である防滑部材１ｂから露出している。この例では、前記露出している前方巻上部３ｂが大きく、スパイク時のジャンプ高さは更に増大するだろう。【００５５】
なお、本実施例２を用いて、ジャンプ高さの増加についてテストしたところ、ジャンプ高さが従来に比べ約２．５ｃｍ増大した。【００５６】
図９Ａ〜９Ｃは更に他の例を示す。
図９Ａの例では連結バー３ｃが設けられていない。
図９Ｂの例では強化プレート３の前部３ｆが半月状に形成されている。
図９Ｃの例では強化プレート３は前部３ｆからシャンク部３２までに開孔が形成されていない。【００５７】
以上のとおり、図面を参照しながら好適な実施例を説明したが、当業者であれば本明細書を見て、自明な範囲で種々の変更および修正を容易に想定するであろう。【００５８】
たとえば、図５の強化プレート３は前方巻上部３ｂから母趾Ｂ１および小趾Ｂ５の基節骨Ｂ１３，Ｂ５３の骨頭よりも後方Ｂまで設けられ、前記骨頭よりも後方Ｂの部分を有していなくてもよい。
あるいは、強化プレート３は前方巻上部３ｂから母趾Ｂ１および小趾Ｂ５の中足骨Ｂ１４，Ｂ５４の骨頭よりも後方Ｂまで設けられ、前記骨頭よりも後方Ｂの部分を有していないＵ字状であってもよい。
これらの場合、前記シャンク部３２から前方Ｆに向かって外縁部３０および内側部３１を設け、当該外縁部３０および内側部３１の前端部が前記強化プレート３の基板部３ａの後端部と足の長軸方向の一部において重なるのが好ましい。
また、強化プレート３はミッドソール２の二次成型時にミッドソール２に一体に形成されてもよい。
本構造は左足または右足についてのみ設けられてもよいが、左右の両足について設けられてもよい。【００５９】
したがって、そのような変更および修正は、本発明の範囲のものと解釈される。
【産業上の利用可能性】
【００６０】
本発明はバレーボールなどの屋内競技用の靴に利用できる。
【符号の説明】
【００６１】
１：アウトソール  １ａ：上面  １ｂ：防滑部材  １ｓ：接地面
２：ミッドソール  ２ａ：上面  ２ｂ：下面  ２ｅ：前端部  ２ｌ：外縁  ２ｍ：内縁
３：強化プレート  ３０：外縁部  ３０ｂ：外巻上部  ３１：内側部  ３２：シャンク部  ３ａ：基板部  ３ｂ：（前方）巻上部  ３ｃ：連結バー  ３ｅ：上端  ３ｆ：前部３ｓ：前面  ３ｌ：外側端  ３ｍ：内側端
Ｂ１：母趾  Ｂ１１：末節骨  Ｂ１３：基節骨  Ｂ１４：中足骨
Ｂ２：第２趾  Ｂ２１：末節骨  Ｂ２３：基節骨  Ｂ２４：中足骨
Ｂ５：小趾  Ｂ５１：末節骨  Ｂ５３：基節骨  Ｂ５４：中足骨
ＢＯ：母趾球
ＭＰ：中足趾節間関節  Ｒ：リスフラン関節
Ｍｅ：内側  Ｌａ：外側
Ｆ：前方  Ｂ：後方  Ｚ：上方
ΔＨ：突出量
【要約】
接地面を有するアウトソールと、アウトソールの上方に配置されたミッドソールと、  アウトソールのヤング率およびミッドソールのヤング率よりも大きいヤング率を有し、アウトソールとミッドソールとの間に配置された樹脂の強化プレートとを備えた屋内競技用の靴において、強化プレートは、母趾および小趾の基節骨骨頭よりも後方から足の先端よりも前方に延びると共に強化プレートの前部において内側から外側に向かって連なって延びる基板部と基板部の前部からミッドソールの前端部の上面よりも上方Ｚに巻き上がり母趾の前方を覆う巻上部とが一体に連なって形成され、かつ、足趾を真上から覆わず、巻上部の前面の少なくとも一部が、強化プレートよりも床面との摩擦力が大きい防滑部材で覆われていることを特徴とする。【図１】
0005649151.tif 000002
【図２】
0005649151.tif 000003
【図３】
0005649151.tif 000004
【図４】
0005649151.tif 000005
【図５】
0005649151.tif 000006
【図６】
0005649151.tif 000007
【図７】
0005649151.tif 000008
【図８】
0005649151.tif 000009
【図９】
0005649151.tif 000010